(57)【要約】本発明は、紙、厚紙、ティッシュまたは他の繊維ウェブ（１）を製造および／または品質を高めるための機械で前記繊維ウェブ（１）を乾燥するためのドライヤパートに関し、繊維ウェブ（１）は、少なくとも１つの乾燥篩（３）によって支持された、加熱された複数の乾燥シリンダ（２）およびガイドローラ（４）の上方に案内される。本発明によれば、繊維ウェブ（１）の湿度断面および平坦度は、複数、好ましくは２つの湿潤装置（５、６）が、ドライヤパートの内部で繊維ウェブ（１）に対して様々な位置に配置されるという点において改良され、前記様々な位置において、ウェブの変位方向（１０）に対し横断方向の領域で、繊維ウェブ（１）に適用される液体量を別個に調整できる。
2005533938.tif 000002
【特許請求の範囲】
【請求項１】
繊維ウェブ（１）を製造および／または仕上げるための機械で紙、厚紙、ティッシュまたは他の繊維ウェブ（１）を乾燥するためのドライヤパートであって、少なくとも１つの乾燥布（３）によって支持された繊維ウェブ（１）が、複数の加熱乾燥シリンダ（２）およびガイドロール（４）の上方に導かれるドライヤパートにおいて、
前記ドライヤパート内に、複数の減衰装置（５、６）、好ましくは２つの減衰装置（５、６）が、繊維ウェブ（１）に対して異なる位置に配置され、少なくとも１つの減衰装置（５、６）において繊維ウェブ（１）に適用される液体量が、ウェブ走行方向（１０）に対し横断方向の領域で別個に調整可能であることを特徴とする、ドライヤパート。
【請求項２】
減衰装置（５、６）の少なくとも１つ、好ましくはすべてが、ウェブ走行方向（１０）に対し横断方向に互いに並んで配置される複数のノズルを有することを特徴とする、請求項１に記載のドライヤパート。
【請求項３】
前記ノズルが、少なくとも部分的に空気噴霧器ノズルとして形成されることを特徴とする、請求項２に記載のドライヤパート。
【請求項４】
減衰装置（５、６）が、異なる量の液体を繊維ウェブ（１）に適用することを特徴とする、請求項１〜３のいずれか１項に記載のドライヤパート。
【請求項５】
減衰装置（５、６）が、各々の場合に様々な平均液滴直径を有する液体を放出し、ソーターによる平均細滴直径が、好ましくは１００μｍの上限を超えないことを特徴とする、請求項１〜４のいずれか１項に記載のドライヤパート。
【請求項６】
減衰装置（５、６）が、繊維ウェブ（１）に対し異なるノズルタイプおよび／または様々な噴霧角度を有することを特徴とする、請求項１〜５のいずれか１項に記載のドライヤパート。
【請求項７】
減衰装置（５、６）のゾーンが異なる幅を有することを特徴とする、請求項１〜６のいずれか１項に記載のドライヤパート。
【請求項８】
減衰装置（５、６）が異なる数のゾーンを有することを特徴とする、請求項１〜７のいずれか１項に記載のドライヤパート。
【請求項９】
少数のゾーンの減衰装置（５、６）が１〜２５のゾーンを有することを特徴とする、請求項８に記載のドライヤパート。
【請求項１０】
多数ゾーンの減衰装置（５、６）が、２０〜１５０ｍｍ、好ましくは２０〜５０ｍｍの幅を有するゾーンを有することを特徴とする、請求項８または９に記載のドライヤパート。
【請求項１１】
ウェブ走行方向（１０）の第１の減衰装置（５）が、繊維ウェブ（１）の乾燥率が少なくとも６０％であるが、前記ドライヤパートの端部において繊維ウェブ（１）が有する乾燥率の少なくとも２％下にある前記ドライヤパートの領域に配置されることを特徴とする、請求項１〜１０のいずれか１項に記載のドライヤパート。
【請求項１２】
ウェブ走行方向（１０）の最後の減衰装置（６）が、繊維ウェブ（１）の乾燥率が少なくとも８０％である前記ドライヤパートの領域に配置されることを特徴とする、請求項１〜１１のいずれか１項に記載のドライヤパート。
【請求項１３】
減衰装置（５、６）が、繊維ウェブ（１）の片側のみが乾燥シリンダ（２）と接触する前記ドライヤパートのドライヤグループで使用されることを特徴とする、請求項１〜１２のいずれか１項に記載のドライヤパート。
【請求項１４】
繊維ウェブ（１）が、排気したガイドロール（４）の上方の前記ドライヤパートのドライヤグループの乾燥シリンダ（２）の間に導かれ、乾燥布（３）がガイドロール（４）と繊維ウェブ（１）との間に配置されることを特徴とする、請求項１〜１３のいずれか１項に記載のドライヤパート。
【請求項１５】
減衰装置（５、６）の少なくとも１つ、好ましくはすべてが、排気したガイドロール（４）の領域に配置されることを特徴とする、請求項１４に記載のドライヤパート。
【請求項１６】
ウェブ走行方向（１０）の最後の減衰装置（６）が、前記ドライヤパートの最後の排気したガイドロール（４）の領域に配置されることを特徴とする、請求項１４または１５に記載のドライヤパート。
【請求項１７】
ウェブ走行方向（１０）の第１の減衰装置（５）が、前記ドライヤパートの最後から２番目のドライヤグループの最後の排気したガイドロール（４）の領域に配置されることを特徴とする、請求項１４〜１６のいずれか１項に記載のドライヤパート。
【請求項１８】
繊維ウェブ（１）の機械横方向の湿潤特性を補正するために、ウェブ走行方向（１０）の第１の減衰装置（５）が大部分、好ましくは専ら使用され、かつ適切に調整されることを特徴とする、請求項１〜１７のいずれか１項に記載のドライヤパート。
【請求項１９】
繊維ウェブ（１）のカールの傾向を補正するために、ウェブ走行方向（１０）の最後の減衰装置（６）が大部分、好ましくは専ら使用され、かつ適切に調整されることを特徴とする、請求項１〜１８のいずれか１項に記載のドライヤパート。
【請求項２０】
ウェブ走行方向（１０）の第１の減衰装置（５）が、最後の減衰装置（６）よりも多くのゾーンを有することを特徴とする、請求項１〜１９のいずれか１項に記載のドライヤパート。
【請求項２１】
ウェブ走行方向（１０）の最後の減衰装置（６）が、繊維ウェブ（１）の機械横方向の湿潤特性およびカールの傾向を補正するために使用され、かつ適切に調整されることを特徴とする、請求項１〜１８および２０のいずれか１項に記載のドライヤパート。
【請求項２２】
ウェブ走行方向（１０）の最後の減衰装置（６）が、第１の減衰装置（５）よりも多くのゾーンを有することを特徴とする、請求項２１に記載のドライヤパート。
【請求項２３】
前記ドライヤパートのすべてのドライヤグループで、各々の場合に、繊維ウェブ（１）の片側のみが乾燥シリンダ（２）と接触することを特徴とする、請求項１〜２２のいずれか１項に記載のドライヤパート。
【請求項２４】
前記ドライヤパートの好ましくは１つまたは２つの最後のドライヤグループにおいて、両側で、したがって、その前に、各々の場合に、繊維ウェブ（１）の片側のみが乾燥シリンダ（２）と接触することを特徴とする、請求項１〜２３のいずれか１項に記載のドライヤパート。
【請求項２５】
表面特性に影響を与える物質で片側が処理される多層繊維ウェブ（１）または繊維ウェブ（１）における、請求項１〜２４のいずれか１項に記載のドライヤパートの使用。
【発明の詳細な説明】
【技術分野】
【０００１】
本発明は、紙、厚紙、ティッシュまたは他の繊維ウェブを製造および／または仕上げるための機械で前記繊維ウェブを乾燥するためのドライヤパートに関し、少なくとも１つの乾燥布によって支持された繊維ウェブは、複数の加熱乾燥シリンダおよびガイドロールの上方に導かれる。
【背景技術】
【０００２】
この形式のドライヤパートは、長い間様々な形態で使用されている。繊維ウェブには応力が形成されることが多く、これがカールの傾向を増大する。さらに、繊維ウェブの機械横方向の湿潤特性は、過乾燥が特に縁部に生じるので、一般に満足できない。
【０００３】
従来、このことは、相互に分離された装置、すなわち、湿潤特性に影響を与えるための通常ドライヤパート内のノズル減衰器、およびドライヤパートの後に一般に配置されたカールの傾向に影響を与えるための蒸気減衰器で対処されてきた。
【発明の開示】
【発明が解決しようとする課題】
【０００４】
本発明の目的は、簡単な手段を用いることによって、繊維ウェブの機械横方向の湿潤特性およびカールの傾向を改善することである。
【課題を解決するための手段】
【０００５】
本発明によれば、上記目的は、ドライヤパート内に、複数の減衰装置、好ましくは２つの減衰装置が、繊維ウェブと反対側の異なる位置に配置され、少なくとも１つの減衰装置内で繊維ウェブに適用される液体量が、ウェブ走行方向に対し横断方向の領域で別個に調整可能であることによって達成される。
【０００６】
複数の減衰装置の使用により、第一に、乾燥工程中に機械横方向の湿潤特性、平坦度、またおそらくはカールの傾向に対しても、第二に、少なくとも１つの減衰装置を介して別個に、機械横方向の湿潤特性またはカールの傾向のような繊維ウェブの少なくとも個々のパラメータに対して繰り返し影響を及ぼすことが可能である。
【０００７】
この場合、乾燥工程中に比較的簡単にパラメータを変更することが可能であり、無関係にパラメータに影響を与えることにより補正スペクトルが実質的に拡大され、またパラメータに対して繰り返し影響を及ぼすことにより改良された結果が得られることが認識されている。
【０００８】
単純化のために、少なくとも１つ、好ましくはすべての減衰装置は、ウェブ走行方向に対し横断方向に互いに並んで配置される複数のノズルを有する。ノズルを少なくとも部分的に空気噴霧器ノズルとして形成するならば、有利である。
【０００９】
影響を与えるべき繊維ウェブの種類、水分含有率およびパラメータに応じて、減衰装置が異なる量の液体を繊維ウェブに全体的に適用するならば、有利である。
【００１０】
適用すべき液体量、繊維ウェブの水分含有率および種類に応じて、減衰装置が、異なる液滴サイズを有する液体を放出するならば、同様に有利であり、平均液滴直径は、ソーターによる１００μｍを好ましくは超えない制限値未満に留まる。
【００１１】
適用すべき液体量、液滴サイズおよび影響を与えるべきパラメータの形式と調整して、減衰装置は、繊維ウェブに関し異なるノズルタイプおよび／または様々な噴霧角度を有するべきである。
【００１２】
減衰装置のゾーンの数は、影響を与えるべきパラメータに従って選択すべきである。特にカールの傾向に影響を与えるためには、１つまたは少数のゾーンで十分である。
【００１３】
繊維ウェブの特性要件に適合するために、減衰装置のゾーンが異なる幅を有するならば、有利である。
【００１４】
予想される機械横方向の湿潤特性は、繊維ウェブの種類に加えて、ドライヤパートの形式、すなわち坪量、厚さ、幅に関係する。
【００１５】
したがって、コストのためゾーンの数を制限するために、予想される機械横方向の湿潤特性および／またはカールする傾向の必要な補正に従って、ゾーンの細区分を選択することができる。
【００１６】
特に減衰装置が様々なパラメータに影響を与える場合、ゾーンの数は、このためにそれぞれ必要とされる程度に制限されるべきである。この結果、減衰装置は異なる数のゾーンを有する。
【００１７】
少数ゾーンの減衰装置のために、例えば、繊維ウェブのカールの傾向に影響を与えるために、１〜２５のゾーンですでに十分であることが多い。
【００１８】
これと対照的に、多数ゾーンの減衰装置は、２０〜１５０ｍｍ、好ましくは２０〜５０ｍｍの幅を有するゾーンを有する。
【００１９】
機械横方向の湿潤特性の補正のため最大可能な噴霧量を利用するために、ウェブ走行方向の第１の減衰装置は、繊維ウェブの乾燥率が少なくとも６０％であるが、ドライヤパートの端部において繊維ウェブが有する乾燥率の少なくとも２％下にあるドライヤパートの領域に配置されるべきである。
【００２０】
他方、カールの傾向に十分に影響を与えることができるために、ウェブ走行方向の最後の減衰装置は、繊維ウェブの乾燥率が少なくとも８０％であるドライヤパートの領域に配置されるべきである。
【００２１】
繊維ウェブのカールの増大傾向のため、減衰装置の使用は、繊維ウェブの片側のみが乾燥シリンダと接触するドライヤパートのドライヤグループに有利である。
【００２２】
特に適切なのは、繊維ウェブが、排気したガイドロールの上方のドライヤパートのドライヤグループの乾燥シリンダの間に導かれ、乾燥布がガイドロールと繊維ウェブとの間に配置される、ドライヤパート内の減衰装置の配置である。この場合、減衰装置の少なくとも１つ、好ましくはすべては、排気したガイドロールの領域に配置されるべきである。
【００２３】
繊維ウェブの必要な乾燥率に関連して、ウェブ走行方向の最後の減衰装置が、ドライヤパートの最後の排気したガイドロールの領域に配置され、またウェブ走行方向の第１の減衰装置が、ドライヤパートの最後から２番目のドライヤグループの最後の排気したガイドロールの領域に配置されるならば、有利であることが多い。
【００２４】
必要な補正精度を確実にするために、繊維ウェブの機械横方向の湿潤特性を補正するために、ウェブ走行方向の第１の減衰装置が大部分、好ましくは専ら使用され、かつ適切に調整されるならば、有利である。
【００２５】
次に、このことにより、繊維ウェブのカールの傾向を補正するために、ウェブ走行方向の最後の減衰装置を大部分、好ましくは専ら使用し、かつ適切に調整することが可能である。ドライヤパートのこの領域の可能な補正の改良のため、特に機械横方向の湿潤特性に関して、ウェブ走行方向の第１の減衰装置は、最後の減衰装置よりも多くのゾーンを有するべきである。
【００２６】
しかし、繊維ウェブのカールの傾向を補正するために、ウェブ走行方向の最後の減衰装置を大部分、好ましくは専ら使用し、かつ適切に調整することも可能である。特にこの場合、ウェブ走行方向の最後の減衰装置は、繊維ウェブのパラメータにより優れた影響を与えるために、第１の減衰装置よりも多くのゾーンを有するべきである。
【００２７】
特に適切なのは、繊維ウェブのカールの増大傾向をもたらすドライヤパートに減衰装置を使用することである。これらのドライヤパートには、すべてのドライヤグループにおいて、各々の場合に、繊維ウェブの片側のみが乾燥シリンダと接触するドライヤパート、およびドライヤパートの好ましくは１つまたは２つの最後のドライヤグループにおいて、両側で、したがって各々の場合に、繊維ウェブの少なくとも主に片側のみが乾燥シリンダと接触するドライヤパートが含まれる。さらに、このようなドライヤパートにおける減衰装置の配置も比較的問題とならない。
【００２８】
しかし、表面特性に影響を与える物質で片側が処理される多層繊維ウェブまたは繊維ウェブに、減衰装置を使用することも有利である。
【００２９】
以下、２つの模範的な実施態様を用いて本発明についてより詳細に説明する。
【発明を実施するための最良の形態】
【００３０】
両方の場合、繊維ウェブ１は、排水のために、２つのプレスロールによって形成されたプレス９を通してプレスフェルトと共に走る。次に、繊維ウェブ１はドライヤパートに到着し、そこで繊維ウェブ１は、加熱された乾燥シリンダ２との直接接触によって加熱かつ乾燥される。
【００３１】
ドライヤパートは、複数のドライヤグループを具備し、各ドライヤグループは、上下に配置された１列または２列の乾燥シリンダ２によって形成される。この場合、乾燥シリンダ２の各列は、各々の場合に、繊維ウェブ１を支持するための乾燥布３に割り当てられる。
【００３２】
ドライヤパートの少なくとも第１の部分で、乾燥が片側で実施されるが、この理由は、繊維ウェブ１の下側が一列に配置された乾燥シリンダ２と接触するからである。乾燥シリンダ２の間に、繊維ウェブ１は、対応する乾燥布３と共に、各々の場合に、排気したガイドロール４の周りを包み、乾燥布３はガイドロール４と繊維ウェブ１との間に配置される。
【００３３】
排気したガイドロール４は有孔のロールカバーを有し、その内部は負圧源に接続される。負圧により、繊維ウェブ１がガイドロール４の周りを包むときに繊維ウェブが乾燥布３に向かって吸い込まれることが確実にされる。
【００３４】
これらのドライヤグループは、比較的簡単に構成され、また機械基部内への問題のない損紙の放出を可能にする。しかし、片側の乾燥のため、繊維ウェブ１のカールの傾向が特に著しく顕著である。
【００３５】
したがって、ドライヤパートに、ウェブ走行方向１０に対し横断方向に走るノズル減衰器の形態の２つの減衰装置５、６があり、減衰装置は、ウェブ走行方向に対し横断方向に互いに並んで配置された複数の空気噴霧器ノズルを有する。これらの減衰装置５、６は、繊維ウェブ１と反対側に配置され、また繊維ウェブ１に適用された液体量に関して、ウェブ走行方向１０に対し横断方向の領域で別個に調整できる。
【００３６】
図１では、すべてのドライヤグループの各々は、１列のみの乾燥シリンダ２を具備し、繊維ウェブ１の下側のみが乾燥シリンダと接触する。繊維ウェブ１の機械横方向の湿潤特性を補正するために、最後から２番目のドライヤグループの最後の排気したガイドロール４の包装領域に、減衰装置５がある。この領域において、繊維ウェブ１は、６０％を越える乾燥率をすでに有し、したがって、減衰を可能にする十分な強さも有する。機械横方向の湿潤特性に対し最も正確な影響を及ぼすことができるために、この減衰装置５は、比較的大きな数の２０〜５０μｍの幅の狭いゾーンを有する。
【００３７】
ゾーンから生じる減衰のレベルは、制御の形態で、繊維ウェブ１の測定された機械横方向の湿潤特性の関数として調整される。
【００３８】
カールの傾向に影響を与えるために、最後の排気したガイドロール４が第２の減衰装置６に割り当てられる。この減衰装置は、１つのみのゾーンを有する。この場合、繊維ウェブの乾燥率は８０％よりも高い。
【００３９】
図２によるドライヤパートでは、第１の４つのドライヤグループは各々の場合に一列の乾燥シリンダ２を具備し、最後の２つのドライヤグループの各々は、互いに上下に配置された２つの列を具備する。
【００４０】
この場合、ドライヤパートの単一列の部分の中央領域７において、排気したガイドロール４の包装領域のウェブ走行方向１０における第１の減衰装置５の配置が可能であるが、この理由は、前記中央領域に６０％を越える十分に高い乾燥率があるからである。この場合も、この減衰装置５は、繊維ウェブ１の機械横方向の湿潤特性を補正するために使用される。
【００４１】
ドライヤパートの単一列の部分の端部領域８に、排気したガイドロール４と反対側に第２の減衰装置６を取り付けることができる。この場合、繊維ウェブ１の乾燥率は８０％よりも高い。この減衰装置６は、機械横方向の湿潤特性を補正するために、また繊維ウェブ１のカールの傾向に影響を与えるために使用され、したがって第１の減衰装置５より多くのゾーンを有する。
【００４２】
一般に、減衰のために水が使用され、繊維ウェブ１に対する液滴寸法および噴霧角度を状態に適合させるべきである。
【図面の簡単な説明】
【００４３】
【図１】単一列のドライヤグループを有するドライヤパートの図面である。
【図２】２列の最終グループを有するドライヤパートの図面である。
【図１】
2005533938.tif 000003
【図２】
2005533938.tif 000004
【国際調査報告】
2005533938.tif 000005
2005533938.tif 000006
2005533938.tif 000007
2005533938.tif 000008